(57)【要約】  本開示は、参照信号伝送方法、装置、基地局および端末を提供する。本開示の伝送方法において、目標ＰＴＲＳポートに対応するＤＭＲＳポートである目標ＤＭＲＳポートに占められるサブキャリアのうち、目標ＰＴＲＳポートマッピング用の目標サブキャリアの位置情報を、暗黙的または明示的な方式で端末に指示するステップを含む。【選択図】  図１
2020533878.tif 000002
【特許請求の範囲】
【請求項１】
基地局に応用される参照信号伝送方法において、
目標ＰＴＲＳ（Ｐｈａｓｅ  Ｔｒａｃｋｉｎｇ  Ｒｅｆｅｒｅｎｃｅ  Ｓｉｇｎａｌ）ポートに対応するＤＭＲＳ（Ｄｅｍｏｄｕｌａｔｉｏｎ  Ｒｅｆｅｒｅｎｃｅ  Ｓｉｇｎａｌ）ポートである目標ＤＭＲＳポートに占められるサブキャリアのうち、目標ＰＴＲＳポートマッピング用の目標サブキャリアの位置情報を、暗黙的または明示的な方式で端末に指示するステップを含む、参照信号伝送方法。
【請求項２】
ＰＴＲＳを前記目標サブキャリアで前記端末に伝送するステップをさらに含む、請求項１に記載の参照信号伝送方法。
【請求項３】
目標ＤＭＲＳポートに占められるサブキャリアのうち、目標ＰＴＲＳポートマッピング用の目標サブキャリアの位置情報を、明示的な方式で端末に指示するステップは、
前記目標ＤＭＲＳポートに対応する所定参照サブキャリアと前記目標サブキャリアとのオフセット情報を含む前記位置情報を、シグナリングによって前記端末に送信することを含む、請求項１に記載の参照信号伝送方法。
【請求項４】
目標ＤＭＲＳポートに占められるサブキャリアのうち、目標ＰＴＲＳポートマッピング用の目標サブキャリアの位置情報を端末に指示するステップの前に、
目標ＤＭＲＳポートに占められるサブキャリアから、ＰＴＲＳポートマッピング用の目標サブキャリアを選択することと、
前記目標サブキャリアと前記所定参照サブキャリアとのオフセット情報を特定することとをさらに含む、請求項３に記載の参照信号伝送方法。
【請求項５】
目標ＤＭＲＳポートに占められるサブキャリアのうち、目標ＰＴＲＳポートマッピング用の目標サブキャリアの位置情報を、暗黙的な方式で端末に指示するステップは、
各ＤＭＲＳポートに占められるサブキャリアのうちＰＴＲＳポートマッピング用のサブキャリアの位置、または、各ＤＭＲＳポートに占められるサブキャリアのうちＰＴＲＳポートマッピング用のサブキャリアと当該ＤＭＲＳポートに対応する所定参照サブキャリアとのオフセット情報を含む前記位置情報を、プロトコルの取り決めによって前記端末に指示することを含む、請求項１に記載の参照信号伝送方法。
【請求項６】
前記ＤＭＲＳポートは、それぞれ、所定ＤＭＲＳポート群のうちのポートであり、
ここで、同一の所定ＤＭＲＳポート群のうちのＤＭＲＳポートに占められるサブキャリアは、同じであり、異なる所定ＤＭＲＳポート群のうちのＤＭＲＳポートに占められるサブキャリアは、異なる、請求項５に記載の参照信号伝送方法。
【請求項７】
端末に応用される参照信号伝送方法において、
基地局から暗黙的または明示的な方式で指示される目標サブキャリアの位置情報を取得するステップと、
前記位置情報に基づき、目標サブキャリアを特定するステップとを含み、
前記目標サブキャリアは、目標ＰＴＲＳポートに対応するＤＭＲＳポートである目標ＤＭＲＳポートに占められるサブキャリアのうち、目標ＰＴＲＳポートマッピング用のサブキャリアである、参照信号伝送方法。
【請求項８】
ＰＴＲＳを前記目標サブキャリアで取得し、ＰＴＲＳに基づき、位相ノイズ推定を行うステップをさらに含む、請求項７に記載の参照信号伝送方法。
【請求項９】
前記の前記位置情報に基づき、目標サブキャリアを特定するステップは、
目標ＰＴＲＳポートに対応する目標ＤＭＲＳポートを特定するステップと、
前記位置情報に基づき、前記目標ＤＭＲＳポートに占められるサブキャリアから目標サブキャリアを特定するステップとを含む、請求項７に記載の参照信号伝送方法。
【請求項１０】
基地局から明示的な方式で指示される目標サブキャリアの位置情報を取得するステップは、
基地局からシグナリングによって送信される位置情報を取得することを含み、
前記位置情報は、前記目標ＤＭＲＳポートに対応する所定参照サブキャリアと前記目標サブキャリアとのオフセット情報を含む、請求項７に記載の参照信号伝送方法。
【請求項１１】
基地局から暗黙的な方式で指示される目標サブキャリアの位置情報を取得するステップは、
前記目標サブキャリアの位置情報をプロトコルの取り決めによって取得することを含み、
前記位置情報は、各ＤＭＲＳポートに占められるサブキャリアのうちＰＴＲＳポートマッピング用のサブキャリアの位置、または、各ＤＭＲＳポートに占められるサブキャリアのうちＰＴＲＳポートマッピング用のサブキャリアと当該ＤＭＲＳポートに対応する所定参照サブキャリアとのオフセット情報を含む、請求項７に記載の参照信号伝送方法。
【請求項１２】
前記ＤＭＲＳポートは、それぞれ、所定ＤＭＲＳポート群のうちのポートであり、
ここで、同一の所定ＤＭＲＳポート群のうちのＤＭＲＳポートに占められるサブキャリアは、同じであり、異なる所定ＤＭＲＳポート群のうちのＤＭＲＳポートに占められるサブキャリアは、異なる、請求項７に記載の参照信号伝送方法。
【請求項１３】
トランシーバと、メモリと、プロセッサと、メモリに記憶されてプロセッサで実行可能なコンピュータプログラムを含む基地局において、
前記プロセッサは、前記コンピュータプログラムを実行すると、
目標ＰＴＲＳポートに対応するＤＭＲＳポートである目標ＤＭＲＳポートに占められるサブキャリアのうち、目標ＰＴＲＳポートマッピング用の目標サブキャリアの位置情報を、暗黙的または明示的な方式で端末に指示するステップを実現する、基地局。
【請求項１４】
前記プロセッサは、前記コンピュータプログラムを実行すると、
ＰＴＲＳを前記目標サブキャリアでトランシーバによって前記端末に伝送するステップをさらに実現する、請求項１３に記載の基地局。
【請求項１５】
前記プロセッサは、前記コンピュータプログラムを実行すると、
前記目標ＤＭＲＳポートに対応する所定参照サブキャリアと前記目標サブキャリアとのオフセット情報を含む前記位置情報を、シグナリングによってトランシーバで前記端末に送信するステップをさらに実現する、請求項１３に記載の基地局。
【請求項１６】
前記プロセッサは、前記コンピュータプログラムを実行すると、
目標ＤＭＲＳポートに占められるサブキャリアから、ＰＴＲＳポートマッピング用の目標サブキャリアを選択するステップと、
前記目標サブキャリアと前記所定参照サブキャリアとのオフセット情報を特定するステップとをさらに実現する、請求項１５に記載の基地局。
【請求項１７】
前記プロセッサは、前記コンピュータプログラムを実行すると、
各ＤＭＲＳポートに占められるサブキャリアのうちＰＴＲＳポートマッピング用のサブキャリアの位置、または、各ＤＭＲＳポートに占められるサブキャリアのうちＰＴＲＳポートマッピング用のサブキャリアと当該ＤＭＲＳポートに対応する所定参照サブキャリアとのオフセット情報を含む前記位置情報を、プロトコルの取り決めによって前記端末に指示するステップをさらに実現する、請求項１３に記載の基地局。
【請求項１８】
前記ＤＭＲＳポートは、それぞれ、所定ＤＭＲＳポート群のうちのポートであり、
ここで、同一の所定ＤＭＲＳポート群のうちのＤＭＲＳポートに占められるサブキャリアは、同じであり、異なる所定ＤＭＲＳポート群のうちのＤＭＲＳポートに占められるサブキャリアは、異なる、請求項１７に記載の基地局。
【請求項１９】
コンピュータプログラムが記憶されているコンピュータ読み取り可能な記憶媒体であって、
当該コンピュータプログラムがプロセッサによって実現されると、
目標ＰＴＲＳポートに対応するＤＭＲＳポートである目標ＤＭＲＳポートに占められるサブキャリアのうち、目標ＰＴＲＳポートマッピング用の目標サブキャリアの位置情報を、暗黙的または明示的な方式で端末に指示するステップが実現される、コンピュータ読み取り可能な記憶媒体。
【請求項２０】
トランシーバと、メモリと、プロセッサと、メモリに記憶されてプロセッサで実行可能なコンピュータプログラムを含む端末において、
前記プロセッサは、前記コンピュータプログラムを実行すると、
基地局から暗黙的または明示的な方式で指示される目標サブキャリアの位置情報を取得するステップと、
前記位置情報に基づき、目標サブキャリアを特定するステップとを実現し、
前記目標サブキャリアは、目標ＰＴＲＳポートに対応するＤＭＲＳポートである目標ＤＭＲＳポートに占められるサブキャリアのうち、目標ＰＴＲＳポートマッピング用のサブキャリアである、端末。
【請求項２１】
前記プロセッサは、前記コンピュータプログラムを実行すると、
ＰＴＲＳを前記目標サブキャリアで取得し、ＰＴＲＳに基づき、位相ノイズ推定を行うステップがさらに実現される、請求項２０に記載の端末。
【請求項２２】
前記プロセッサは、前記コンピュータプログラムを実行すると、
目標ＰＴＲＳポートに対応する目標ＤＭＲＳポートを特定するステップと、
前記位置情報に基づき、前記目標ＤＭＲＳポートに占められるサブキャリアから目標サブキャリアを特定するステップとがさらに実現される、請求項２０に記載の端末。
【請求項２３】
前記プロセッサは、前記コンピュータプログラムを実行すると、
基地局からシグナリングによって送信される位置情報をトランシーバで取得するステップがさらに実現され、
前記位置情報は、前記目標ＤＭＲＳポートに対応する所定参照サブキャリアと前記目標サブキャリアとのオフセット情報を含む、請求項２０に記載の端末。
【請求項２４】
前記プロセッサは、前記コンピュータプログラムを実行すると、
前記目標サブキャリアの位置情報をプロトコルの取り決めによって取得するステップがさらに実現され、
前記位置情報は、各ＤＭＲＳポートに占められるサブキャリアのうちＰＴＲＳポートマッピング用のサブキャリアの位置、または、各ＤＭＲＳポートに占められるサブキャリアのうちＰＴＲＳポートマッピング用のサブキャリアと当該ＤＭＲＳポートに対応する所定参照サブキャリアとのオフセット情報を含む、請求項２０に記載の端末。
【請求項２５】
前記ＤＭＲＳポートは、それぞれ、所定ＤＭＲＳポート群のうちのポートであり、
ここで、同一の所定ＤＭＲＳポート群のうちのＤＭＲＳポートに占められるサブキャリアは、同じであり、異なる所定ＤＭＲＳポート群のうちのＤＭＲＳポートに占められるサブキャリアは、異なる、請求項２０に記載の端末。
【請求項２６】
コンピュータプログラムが記憶されているコンピュータ読み取り可能な記憶媒体であって、
当該コンピュータプログラムがプロセッサによって実現されると、
基地局から暗黙的または明示的な方式で指示される目標サブキャリアの位置情報を取得するステップと、
前記位置情報に基づき、目標サブキャリアを特定するステップとが実現され、
前記目標サブキャリアは、目標ＰＴＲＳポートに対応するＤＭＲＳポートである目標ＤＭＲＳポートに占められるサブキャリアのうち、目標ＰＴＲＳポートマッピング用のサブキャリアである、コンピュータ読み取り可能な記憶媒体。
【請求項２７】
基地局に応用される参照信号伝送装置において、
目標ＰＴＲＳポートに対応するＤＭＲＳポートである目標ＤＭＲＳポートに占められるサブキャリアのうち、目標ＰＴＲＳポートマッピング用の目標サブキャリアの位置情報を、暗黙的または明示的な方式で端末に指示するための指示モジュールを含む、参照信号伝送装置。
【請求項２８】
前記指示モジュールは、
前記目標ＤＭＲＳポートに対応する所定参照サブキャリアと前記目標サブキャリアとのオフセット情報を含む前記位置情報を、シグナリングによって前記端末に送信するための第１指示サブモジュールを含む、請求項２７に記載の参照信号伝送装置。
【請求項２９】
前記指示モジュールは、
各ＤＭＲＳポートに占められるサブキャリアのうちＰＴＲＳポートマッピング用のサブキャリアの位置、または、各ＤＭＲＳポートに占められるサブキャリアのうちＰＴＲＳポートマッピング用のサブキャリアと当該ＤＭＲＳポートに対応する所定参照サブキャリアとのオフセット情報を含む前記位置情報を、プロトコルの取り決めによって前記端末に指示するための第２指示サブモジュールを含む、請求項２７に記載の参照信号伝送装置。
【請求項３０】
前記ＤＭＲＳポートは、それぞれ、所定ＤＭＲＳポート群のうちのポートであり、
ここで、同一の所定ＤＭＲＳポート群のうちのＤＭＲＳポートに占められるサブキャリアは、同じであり、異なる所定ＤＭＲＳポート群のうちのＤＭＲＳポートに占められるサブキャリアは、異なる、請求項２９に記載の参照信号伝送装置。
【請求項３１】
端末に応用される参照信号伝送装置において、
基地局から暗黙的または明示的な方式で指示される目標サブキャリアの位置情報を取得するための取得モジュールと、
前記位置情報に基づき、目標サブキャリアを特定するための特定モジュールとを含み、
前記目標サブキャリアは、目標ＰＴＲＳポートに対応するＤＭＲＳポートである目標ＤＭＲＳポートに占められるサブキャリアのうち、目標ＰＴＲＳポートマッピング用のサブキャリアである、参照信号伝送装置。
【請求項３２】
前記取得モジュールは、
基地局からシグナリングによって送信される位置情報を取得するための第１取得サブモジュールを含み、
前記位置情報は、前記目標ＤＭＲＳポートに対応する所定参照サブキャリアと前記目標サブキャリアとのオフセット情報を含む、請求項３１に記載の参照信号伝送装置。
【請求項３３】
前記取得モジュールは、
前記目標サブキャリアの位置情報をプロトコルの取り決めによって取得するための第２取得サブモジュールを含み、
前記位置情報は、各ＤＭＲＳポートに占められるサブキャリアのうちＰＴＲＳポートマッピング用のサブキャリアの位置、または、各ＤＭＲＳポートに占められるサブキャリアのうちＰＴＲＳポートマッピング用のサブキャリアと当該ＤＭＲＳポートに対応する所定参照サブキャリアとのオフセット情報を含む、請求項３１に記載の参照信号伝送装置。
【請求項３４】
前記ＤＭＲＳポートは、それぞれ、所定ＤＭＲＳポート群のうちのポートであり、
ここで、同一の所定ＤＭＲＳポート群のうちのＤＭＲＳポートに占められるサブキャリアは、同じであり、異なる所定ＤＭＲＳポート群のうちのＤＭＲＳポートに占められるサブキャリアは、異なる、請求項３１に記載の参照信号伝送装置。
【発明の詳細な説明】
【技術分野】
【０００１】
本願は、２０１７年９月８日に中国特許庁に提出された中国特許出願２０１７１０８０５１０４．３の優先権を主張し、その全ての内容が援用によりここに取り込まれる。
本開示は、通信応用の技術分野に係り、特に参照信号伝送方法、装置、基地局および端末に係る。
【背景技術】
【０００２】
送信機および受信機の局部発振器からの位相ノイズは、マルチキャリア信号の伝送に影響を与え、特に高周波帯域（６ＧＨｚ以上）では、その影響がより深刻になる。システム性能を保証するには、受信した信号に対し位相ノイズの補償を行う必要がある。ＰＴＲＳ（ｐｈａｓｅ  ｔｒａｃｋｉｎｇ  ｒｅｆｅｒｅｎｃｅ  ｓｉｇｎａｌ）を送信側に導入することによって、位相ノイズによる位相の変化を追跡可能であり、受信側によるリンクの位相ノイズ推定が可能であることを保証し、位相ノイズの影響を補償する。
【０００３】
ＮＲシステムにおいて、ＰＴＲＳは、ユーザによってスケジューリングされる周波数帯内で伝送されるが、その周波数領域密度によっては、各ＰＲＢ（ｐｈｙｓｉｃａｌ  ｒｅｓｏｕｒｃｅ  ｂｌｏｃｋ）、２つずつのＰＲＢまたは４つずつのＰＲＢで１回マッピングされ、ＰＴＲＳが存在するＰＲＢでは、各ＰＴＲＳポートが１つのサブキャリアにマッピングされる。各ＰＴＲＳポートが１つのＤＭＲＳ（ｄｅｍｏｄｕｌａｔｉｏｎ  ｒｅｆｅｒｅｎｃｅ  ｓｉｇｎａｌ）ポート群に対応し、以下、群対応と称する。群内の各ＤＭＲＳポートは、同じ位相ノイズ源から影響を受ける。当該ＰＴＲＳポートは、群内の各ＤＭＲＳポートの位相ノイズの補償に用いられる。複数の位相ノイズ源が存在するのであれば、複数のＰＴＲＳポートが必要となる。
【０００４】
ＤＭＲＳに類似し、ＰＴＲＳもプリコーディングされてから伝送される。位相ノイズの影響を補償するために、ＰＴＲＳに用いられるプリコーディングは、当該ＰＴＲＳに対応する１つのＤＭＲＳポート群に用いられるプリコーディングに関連する。同時に、補償精度を保証するために、ＰＴＲＳは、それに対応するＤＭＲＳポート群が位置するサブキャリアにマッピングされるべきである。現在、１つの実現方式として、ＰＴＲＳポートについて、それに対応するＤＭＲＳポート群のうちの一定のＤＭＲＳポートに用いられるプリコーディングを使用すると予め定義し、かつ当該ＤＭＲＳポートが位置するサブキャリアにマッピングされ、以下ポート対応と称する。当該一定のＤＭＲＳポートは、たとえば群内の最小番号のＤＭＲＳポートである。しかし、どのようにＰＴＲＳポートをそのポートに対応するＤＭＲＳポートが位置するサブキャリアにマッピングするかについて、まだ対応する解決策が提案されていない。
【発明の概要】
【発明が解決しようとする課題】
【０００５】
本開示の目的は、どのようにＰＴＲＳポートをそのポートに対応するＤＭＲＳポートが位置するサブキャリアにマッピングするかについて、まだ対応する解決策が提案されていないという問題を解決するために、参照信号伝送方法、装置、基地局および端末を提供することにある。
【課題を解決するための手段】
【０００６】
上記目的を実現するために、本開示は、基地局に応用される参照信号伝送方法を提供する。当該方法において、目標ＰＴＲＳポートに対応するＤＭＲＳポートである目標ＤＭＲＳポートに占められるサブキャリアのうち、目標ＰＴＲＳポートマッピング用の目標サブキャリアの位置情報を、暗黙的または明示的な方式で端末に指示するステップを含む。
【０００７】
ここで、上記参照信号伝送方法において、ＰＴＲＳを前記目標サブキャリアで前記端末に伝送するステップをさらに含む。
【０００８】
ここで、目標ＤＭＲＳポートに占められるサブキャリアのうち、目標ＰＴＲＳポートマッピング用の目標サブキャリアの位置情報を、明示的な方式で端末に指示するステップは、前記目標ＤＭＲＳポートに対応する所定参照サブキャリアと前記目標サブキャリアとのオフセット情報を含む前記位置情報を、シグナリングによって前記端末に送信することを含む。
【０００９】
ここで、目標ＤＭＲＳポートに占められるサブキャリアのうち、目標ＰＴＲＳポートマッピング用の目標サブキャリアの位置情報を端末に指示するステップの前に、目標ＤＭＲＳポートに占められるサブキャリアから、ＰＴＲＳポートマッピング用の目標サブキャリアを選択することと、前記目標サブキャリアと前記所定参照サブキャリアとのオフセット情報を特定することとをさらに含む。
【００１０】
ここで、目標ＤＭＲＳポートに占められるサブキャリアのうち、目標ＰＴＲＳポートマッピング用の目標サブキャリアの位置情報を、暗黙的な方式で端末に指示するステップは、各ＤＭＲＳポートに占められるサブキャリアのうちＰＴＲＳポートマッピング用のサブキャリアの位置、または、各ＤＭＲＳポートに占められるサブキャリアのうちＰＴＲＳポートマッピング用のサブキャリアと当該ＤＭＲＳポートに対応する所定参照サブキャリアとのオフセット情報を含む前記位置情報を、プロトコルの取り決めによって前記端末に指示することを含む。
【００１１】
ここで、前記ＤＭＲＳポートは、それぞれ、所定ＤＭＲＳポート群のうちのポートであり、ここで、同一の所定ＤＭＲＳポート群のうちのＤＭＲＳポートに占められるサブキャリアは、同じであり、異なる所定ＤＭＲＳポート群のうちのＤＭＲＳポートに占められるサブキャリアは、異なる。
【００１２】
上記目的を実現するために、本開示の実施例は、端末に応用される参照信号伝送方法をさらに提供する。当該方法において、基地局から暗黙的または明示的な方式で指示される目標サブキャリアの位置情報を取得するステップと、前記位置情報に基づき、目標サブキャリアを特定するステップとを含み、前記目標サブキャリアは、目標ＰＴＲＳポートに対応するＤＭＲＳポートである目標ＤＭＲＳポートに占められるサブキャリアのうち、目標ＰＴＲＳポートマッピング用のサブキャリアである。
【００１３】
ここで、上記参照信号伝送方法において、ＰＴＲＳを前記目標サブキャリアで取得し、ＰＴＲＳに基づき、位相ノイズ推定を行うステップをさらに含む。
【００１４】
ここで、前記位置情報に基づき、目標サブキャリアを特定するステップは、目標ＰＴＲＳポートに対応する目標ＤＭＲＳポートを特定するステップと、前記位置情報に基づき、前記目標ＤＭＲＳポートに占められるサブキャリアから目標サブキャリアを特定するステップとを含む。
【００１５】
ここで、基地局から明示的な方式で指示される目標サブキャリアの位置情報を取得するステップは、基地局からシグナリングによって送信される位置情報を取得することを含み、前記位置情報は、前記目標ＤＭＲＳポートに対応する所定参照サブキャリアと前記目標サブキャリアとのオフセット情報を含む。
【００１６】
ここで、基地局から暗黙的な方式で指示される目標サブキャリアの位置情報を取得するステップは、前記目標サブキャリアの位置情報をプロトコルの取り決めによって取得することを含み、前記位置情報は、各ＤＭＲＳポートに占められるサブキャリアのうちＰＴＲＳポートマッピング用のサブキャリアの位置、または、各ＤＭＲＳポートに占められるサブキャリアのうちＰＴＲＳポートマッピング用のサブキャリアと当該ＤＭＲＳポートに対応する所定参照サブキャリアとのオフセット情報を含む。
【００１７】
ここで、前記ＤＭＲＳポートは、それぞれ、所定ＤＭＲＳポート群のうちのポートであり、ここで、同一の所定ＤＭＲＳポート群のうちのＤＭＲＳポートに占められるサブキャリアは、同じであり、異なる所定ＤＭＲＳポート群のうちのＤＭＲＳポートに占められるサブキャリアは、異なる。
【００１８】
上記目的を実現するために、本開示の実施例は、トランシーバと、メモリと、プロセッサと、メモリに記憶されてプロセッサで実行可能なコンピュータプログラムを含む基地局をさらに提供する。前記プロセッサは、前記コンピュータプログラムを実行すると、目標ＰＴＲＳポートに対応するＤＭＲＳポートである目標ＤＭＲＳポートに占められるサブキャリアのうち、目標ＰＴＲＳポートマッピング用の目標サブキャリアの位置情報を、暗黙的または明示的な方式で端末に指示するステップを実現する。
【００１９】
ここで、前記プロセッサは、前記コンピュータプログラムを実行すると、ＰＴＲＳを前記目標サブキャリアでトランシーバによって前記端末に伝送するステップをさらに実現する。
【００２０】
ここで、前記プロセッサは、前記コンピュータプログラムを実行すると、前記目標ＤＭＲＳポートに対応する所定参照サブキャリアと前記目標サブキャリアとのオフセット情報を含む前記位置情報を、シグナリングによってトランシーバで前記端末に送信するステップをさらに実現する。
【００２１】
ここで、前記プロセッサは、前記コンピュータプログラムを実行すると、目標ＤＭＲＳポートに占められるサブキャリアから、ＰＴＲＳポートマッピング用の目標サブキャリアを選択するステップと、前記目標サブキャリアと前記所定参照サブキャリアとのオフセット情報を特定するステップとをさらに実現する。
【００２２】
ここで、前記プロセッサは、前記コンピュータプログラムを実行すると、各ＤＭＲＳポートに占められるサブキャリアのうちＰＴＲＳポートマッピング用のサブキャリアの位置、または、各ＤＭＲＳポートに占められるサブキャリアのうちＰＴＲＳポートマッピング用のサブキャリアと当該ＤＭＲＳポートに対応する所定参照サブキャリアとのオフセット情報を含む前記位置情報を、プロトコルの取り決めによって前記端末に指示するステップをさらに実現する。
【００２３】
ここで、前記ＤＭＲＳポートは、それぞれ、所定ＤＭＲＳポート群のうちのポートであり、ここで、同一の所定ＤＭＲＳポート群のうちのＤＭＲＳポートに占められるサブキャリアは、同じであり、異なる所定ＤＭＲＳポート群のうちのＤＭＲＳポートに占められるサブキャリアは、異なる。
【００２４】
上記目的を実現するために、本開示の実施例は、コンピュータプログラムが記憶されているコンピュータ読み取り可能な記憶媒体をさらに提供する。当該コンピュータプログラムがプロセッサによって実現されると、目標ＰＴＲＳポートに対応するＤＭＲＳポートである目標ＤＭＲＳポートに占められるサブキャリアのうち、目標ＰＴＲＳポートマッピング用の目標サブキャリアの位置情報を、暗黙的または明示的な方式で端末に指示するステップが実現される。
【００２５】
上記目的を実現するために、本開示の実施例は、トランシーバと、メモリと、プロセッサと、メモリに記憶されてプロセッサで実行可能なコンピュータプログラムを含む端末をさらに提供する。前記プロセッサは、前記コンピュータプログラムを実行すると、基地局から暗黙的または明示的な方式で指示される目標サブキャリアの位置情報を取得するステップと、前記位置情報に基づき、目標サブキャリアを特定するステップとを実現し、前記目標サブキャリアは、目標ＰＴＲＳポートに対応するＤＭＲＳポートである目標ＤＭＲＳポートに占められるサブキャリアのうち、目標ＰＴＲＳポートマッピング用のサブキャリアである。
【００２６】
ここで、前記プロセッサは、前記コンピュータプログラムを実行すると、ＰＴＲＳを前記目標サブキャリアで取得し、ＰＴＲＳに基づき、位相ノイズ推定を行うステップがさらに実現される。
【００２７】
ここで、前記プロセッサは、前記コンピュータプログラムを実行すると、目標ＰＴＲＳポートに対応する目標ＤＭＲＳポートを特定するステップと、前記位置情報に基づき、前記目標ＤＭＲＳポートに占められるサブキャリアから目標サブキャリアを特定するステップとがさらに実現される。
【００２８】
ここで、前記プロセッサは、前記コンピュータプログラムを実行すると、基地局からシグナリングによって送信される位置情報をトランシーバで取得するステップがさらに実現され、前記位置情報は、前記目標ＤＭＲＳポートに対応する所定参照サブキャリアと前記目標サブキャリアとのオフセット情報を含む。
【００２９】
ここで、前記プロセッサは、前記コンピュータプログラムを実行すると、前記目標サブキャリアの位置情報をプロトコルの取り決めによって取得するステップがさらに実現され、前記位置情報は、各ＤＭＲＳポートに占められるサブキャリアのうちＰＴＲＳポートマッピング用のサブキャリアの位置、または、各ＤＭＲＳポートに占められるサブキャリアのうちＰＴＲＳポートマッピング用のサブキャリアと当該ＤＭＲＳポートに対応する所定参照サブキャリアとのオフセット情報を含む。
【００３０】
ここで、前記ＤＭＲＳポートは、それぞれ、所定ＤＭＲＳポート群のうちのポートであり、ここで、同一の所定ＤＭＲＳポート群のうちのＤＭＲＳポートに占められるサブキャリアは、同じであり、異なる所定ＤＭＲＳポート群のうちのＤＭＲＳポートに占められるサブキャリアは、異なる。
【００３１】
上記目的を実現するために、本開示の実施例は、コンピュータプログラムが記憶されているコンピュータ読み取り可能な記憶媒体をさらに提供する。当該コンピュータプログラムがプロセッサによって実現されると、基地局から暗黙的または明示的な方式で指示される目標サブキャリアの位置情報を取得するステップと、前記位置情報に基づき、目標サブキャリアを特定するステップとが実現され、前記目標サブキャリアは、目標ＰＴＲＳポートに対応するＤＭＲＳポートである目標ＤＭＲＳポートに占められるサブキャリアのうち、目標ＰＴＲＳポートマッピング用のサブキャリアである。
【００３２】
上記目的を実現するために、本開示の実施例は、基地局に応用される参照信号伝送装置をさらに提供する。当該装置は、目標ＰＴＲＳポートに対応するＤＭＲＳポートである目標ＤＭＲＳポートに占められるサブキャリアのうち、目標ＰＴＲＳポートマッピング用の目標サブキャリアの位置情報を、暗黙的または明示的な方式で端末に指示するための指示モジュールを含む。
【００３３】
ここで、前記指示モジュールは、前記目標ＤＭＲＳポートに対応する所定参照サブキャリアと前記目標サブキャリアとのオフセット情報を含む前記位置情報を、シグナリングによって前記端末に送信するための第１指示サブモジュールを含む。
【００３４】
ここで、前記指示モジュールは、各ＤＭＲＳポートに占められるサブキャリアのうちＰＴＲＳポートマッピング用のサブキャリアの位置、または、各ＤＭＲＳポートに占められるサブキャリアのうちＰＴＲＳポートマッピング用のサブキャリアと当該ＤＭＲＳポートに対応する所定参照サブキャリアとのオフセット情報を含む前記位置情報を、プロトコルの取り決めによって前記端末に指示するための第２指示サブモジュールを含む。
【００３５】
ここで、前記ＤＭＲＳポートは、それぞれ、所定ＤＭＲＳポート群のうちのポートであり、ここで、同一の所定ＤＭＲＳポート群のうちのＤＭＲＳポートに占められるサブキャリアは、同じであり、異なる所定ＤＭＲＳポート群のうちのＤＭＲＳポートに占められるサブキャリアは、異なる。
【００３６】
上記目的を実現するために、本開示の実施例は、端末に応用される参照信号伝送装置をさらに提供する。当該装置は、基地局から暗黙的または明示的な方式で指示される目標サブキャリアの位置情報を取得するための取得モジュールと、前記位置情報に基づき、目標サブキャリアを特定するための特定モジュールとを含み、前記目標サブキャリアは、目標ＰＴＲＳポートに対応するＤＭＲＳポートである目標ＤＭＲＳポートに占められるサブキャリアのうち、目標ＰＴＲＳポートマッピング用のサブキャリアである。
【００３７】
ここで、前記取得モジュールは、基地局からシグナリングによって送信される位置情報を取得するための第１取得サブモジュールを含み、前記位置情報は、前記目標ＤＭＲＳポートに対応する所定参照サブキャリアと前記目標サブキャリアとのオフセット情報を含む。
【００３８】
ここで、前記取得モジュールは、前記目標サブキャリアの位置情報をプロトコルの取り決めによって取得するための第２取得サブモジュールを含み、前記位置情報は、各ＤＭＲＳポートに占められるサブキャリアのうちＰＴＲＳポートマッピング用のサブキャリアの位置、または、各ＤＭＲＳポートに占められるサブキャリアのうちＰＴＲＳポートマッピング用のサブキャリアと当該ＤＭＲＳポートに対応する所定参照サブキャリアとのオフセット情報を含む。
【００３９】
ここで、前記ＤＭＲＳポートは、それぞれ、所定ＤＭＲＳポート群のうちのポートであり、ここで、同一の所定ＤＭＲＳポート群のうちのＤＭＲＳポートに占められるサブキャリアは、同じであり、異なる所定ＤＭＲＳポート群のうちのＤＭＲＳポートに占められるサブキャリアは、異なる。
【発明の効果】
【００４０】
本開示の実施例の上記技術手段において、目標ＤＭＲＳポートに占められるサブキャリアのうち、目標ＰＴＲＳポートマッピング用の目標サブキャリアの位置情報を、暗黙的または明示的な方式で端末に指示することによって、端末は、当該位置情報に基づいて目標サブキャリアを特定し、さらに、基地局から伝送されるＰＴＲＳを当該目標サブキャリアで取得可能である。よって、当該位置情報に基づいてＰＴＲＳ伝送を行う目的が実現され、かつ異なるＰＴＲＳポートが同じサブキャリアにマッピングされることが避けられ、ＰＴＲＳポート同士の直交性が効果的に保証される。
【図面の簡単な説明】
【００４１】
【図１】本開示の実施例における参照信号伝送方法の第１動作フローである。
【図２ａ】本開示の実施例におけるＤＭＲＳの第１配置図である。
【図２ｂ】本開示の実施例におけるＤＭＲＳの第２配置図である。
【図２ｃ】本開示の実施例におけるＤＭＲＳの第３配置図である。
【図２ｄ】本開示の実施例におけるＤＭＲＳの第４配置図である。
【図３】本開示の実施例における参照信号伝送方法の第２動作フローである。
【図４】本開示の実施例におけるＰＴＲＳの第１マッピング図である。
【図５】本開示の実施例におけるＰＴＲＳの第２マッピング図である。
【図６】本開示の実施例における基地局の構造ブロック図である。
【図７】本開示の実施例における基地局の第１モジュール図である。
【図８】本開示の実施例における基地局の第２モジュール図である。
【図９】本開示の実施例における端末の構造ブロック図である。
【図１０】本開示の実施例における端末の第１モジュール図である。
【図１１】本開示の実施例における端末の第２モジュール図である。
【発明を実施するための形態】
【００４２】
本開示の解決しようとする技術問題、技術手段及び利点をより明確にするために、以下、具体的な実施例および図面とともに詳細に記載する。
【００４３】
本開示の実施例は、参照信号伝送方法、装置、基地局および端末を提供することによって、どのようにＰＴＲＳポートをそのポートに対応するＤＭＲＳポートが位置するサブキャリアにマッピングするかについて、まだ対応する解決策が提案されていないという問題を解決する。
【００４４】
図１に示すように、本開示の実施例は、基地局に応用される参照信号伝送方法を提供する。当該方法において、目標ＰＴＲＳポートに対応するＤＭＲＳポートである目標ＤＭＲＳポートに占められるサブキャリアのうち、目標ＰＴＲＳポートマッピング用の目標サブキャリアの位置情報を、暗黙的または明示的な方式で端末に指示するステップＳ１０１を含む。
【００４５】
本開示の具体的な実施例において、各ＰＴＲＳポートは、１つのＤＭＲＳポート群に対応し、かつ各ＰＴＲＳポートは、当該ＤＭＲＳポート群のうちの所定ＤＭＲＳポートに対応し、たとえば当該ＤＭＲＳポート群のうちポート番号が最小であるＤＭＲＳポートに対応する。
【００４６】
上記位置情報は、前記目標ＤＭＲＳポートに対応する所定参照サブキャリアと前記目標サブキャリアとのオフセット情報、各ＤＭＲＳポートに占められるサブキャリアのうちＰＴＲＳポートマッピング用のサブキャリアの位置、または、各ＤＭＲＳポートに占められるサブキャリアのうちＰＴＲＳポートマッピング用のサブキャリアと当該ＤＭＲＳポートに対応する所定参照サブキャリアとのオフセット情報を含む。ここで、目標ＰＴＲＳポートは、現在、サブキャリアマッピングが必要なＰＴＲＳポートである。
【００４７】
目標ＤＭＲＳポートに占められるサブキャリアのうち、目標ＰＴＲＳポートマッピング用の目標サブキャリアの位置情報を端末に指示することによって、端末は、当該位置情報に基づいて目標サブキャリアを特定可能であり、かつＰＴＲＳポート同士の直交性が保証される。
【００４８】
さらに、上記ステップＳ１０１の後に、ＰＴＲＳを前記目標サブキャリアで前記端末に伝送するステップをさらに含む。
【００４９】
本開示の実施例の参照信号伝送方法において、基地局は、目標サブキャリアの位置情報を端末に指示し、ＰＴＲＳを目標サブキャリアにマッピングして端末に送信する。
【００５０】
さらに、上記ステップＳ１０１において、目標ＤＭＲＳポートに占められるサブキャリアのうち、目標ＰＴＲＳポートマッピング用の目標サブキャリアの位置情報を、明示的な方式で端末に指示することは、前記目標ＤＭＲＳポートに対応する所定参照サブキャリアと前記目標サブキャリアとのオフセット情報を含む前記位置情報を、シグナリングによって前記端末に送信することを含む。
【００５１】
ここの所定参照サブキャリアは、通信システムで予め定義され、基地局と端末の両方に知られるサブキャリアである。具体的に、１つのＰＲＢでは、サブキャリアの排列順に基づき、各ＤＭＲＳポートに占められる第Ｓ個のサブキャリアを所定参照サブキャリアとして定義する。
【００５２】
さらに、目標ＤＭＲＳポートに占められるサブキャリアのうち、目標ＰＴＲＳポートマッピング用の目標サブキャリアの位置情報を端末に指示するステップの前に、目標ＤＭＲＳポートに占められるサブキャリアから、ＰＴＲＳポートマッピング用の目標サブキャリアを選択することと、前記目標サブキャリアと前記所定参照サブキャリアとのオフセット情報を特定することとをさらに含む。
【００５３】
上記オフセット情報は、具体的に周波数オフセット情報、サブキャリアオフセット情報および／またはＰＲＢオフセット情報などである。
【００５４】
本開示の実施例において、基地局は、まず、ＰＴＲＳポートとＤＭＲＳポート群との所定対応関係に基づき、基地局で配置された各ＰＴＲＳポートに対応するＤＭＲＳポート群を特定し、システムの取り決めに基づき、当該ＤＭＲＳポート群のうち、当該ＰＴＲＳポートに対応するＤＭＲＳポートを特定する。次に、基地局は、目標ＰＴＲＳに対応する目標ＤＭＲＳポートから、ＰＴＲＳポートマッピング用の目標サブキャリアを選択し、それから目標サブキャリアと所定参照サブキャリアとのオフセット情報を特定する。
【００５５】
以下、本開示の実施例の１つの具体的な応用フローを説明する。
（１）システムにおいて、１つのＰＲＢでは、各ＤＭＲＳポートに占められる第Ｓ個のサブキャリアを所定参照サブキャリアとして予め定義する。当該の所定参照サブキャリアは、基地局と端末の両方に知られる。
（２）基地局で配置される各ＰＴＲＳポートに対し、基地局は、ＰＴＲＳポートに対応するＤＭＲＳポートを特定し、該ＰＴＲＳポートのサブキャリアオフセットＳ＿ｏｆｆｓｅｔの値を特定する。該Ｓ＿ｏｆｆｓｅｔの値は、正整数、０または負整数である。
（３）基地局は、各ＰＴＲＳポートのサブキャリアオフセットＳ＿ｏｆｆｓｅｔをシグナリングによって端末に知らせるとともに、各ポートのＰＴＲＳを、ＰＴＲＳが含まれるＰＲＢのうち、ＳとＳ＿ｏｆｆｓｅｔの両方で特定されるサブキャリアにマッピングして送信する。
【００５６】
本開示の実施例の参照信号伝送方法において、システムで所定参照サブキャリアを予め定義することによって、各ＰＴＲＳポートについて、それに対応するＤＭＲＳポートの位置するサブキャリアでの位置を特定し、ＰＴＲＳポートがマッピングされるサブキャリアと所定参照サブキャリアとのオフセット情報を特定し、当該オフセット情報をシグナリングによって端末に知らせる。よって、ＰＴＲＳポートをそれに対応するＤＭＲＳポートの位置するサブキャリアにマッピングするという目的が実現され、ＰＴＲＳポート同士の直交性が保証される。
【００５７】
さらに、上記ステップＳ１０１において、目標ＤＭＲＳポートに占められるサブキャリアのうち、目標ＰＴＲＳポートマッピング用の目標サブキャリアの位置情報を、暗黙的な方式で端末に指示することは、前記位置情報をプロトコルの取り決めによって前記端末に指示することを含む。前記位置情報は、各ＤＭＲＳポートに占められるサブキャリアのうちＰＴＲＳポートマッピング用のサブキャリアの位置、または、各ＤＭＲＳポートに占められるサブキャリアのうちＰＴＲＳポートマッピング用のサブキャリアと当該ＤＭＲＳポートに対応する所定参照サブキャリアとのオフセット情報を含む。
【００５８】
さらに、前記ＤＭＲＳポートは、それぞれ、所定ＤＭＲＳポート群のうちのポートである。ここで、同一の所定ＤＭＲＳポート群のうちのＤＭＲＳポートに占められるサブキャリアは、同じであり、異なる所定ＤＭＲＳポート群のうちのＤＭＲＳポートに占められるサブキャリアは、異なる。同一の所定ＤＭＲＳポート群の異なるＤＭＲＳポートでは、ＰＴＲＳポートマッピング用のサブキャリアが異なる。
【００５９】
本開示の具体的な実施例において、ＤＭＲＳの配置は、２種類の配置タイプを含み、かつ各種類の配置タイプは、１つのＯＦＤＭシンボルと２つのＯＦＤＭシンボルの二択を含み、配置タイプ１が図２ａと図２ｂに示され、配置タイプ２が図２ｃと図２ｄに示される。各種類のＤＭＲＳ配置に対し、それにサポートされる最大数のＤＭＲＳポートを複数のＤＭＲＳポート群に分け、サブキャリア位置に基づくＤＭＲＳポート群（所定ＤＭＲＳポート群）と称する。ここで、各サブキャリア位置に基づくＤＭＲＳポート群のうちのＤＭＲＳポートは、同じサブキャリアを占め、異なるサブキャリア位置に基づくＤＭＲＳポート群のうちのＤＭＲＳポートは、異なるサブキャリアを占める。
【００６０】
サブキャリア位置に基づく各ＤＭＲＳポート群では、システムにおいて、各ＤＭＲＳポートに占められるサブキャリアのうちＰＴＲＳポートマッピング用のサブキャリアの位置、または、各ＤＭＲＳポートに占められるサブキャリアのうちＰＴＲＳポートマッピング用のサブキャリアと当該ＤＭＲＳポートに対応する所定参照サブキャリアとのオフセット情報を予め定義する。システムで定義される情報は、基地局と端末の両方に知られる。サブキャリア位置に基づく異なるＤＭＲＳポート群では、ＰＴＲＳポートマッピング用のサブキャリアとのオフセット情報は、同じであってもよく異なってもよい。
【００６１】
基地局は、基地局で配置される各ＰＴＲＳポートについて、それに対応するＤＭＲＳポートを特定し、上記予め定義された位置情報に基づき、当該ＰＴＲＳポートがマッピングされるサブキャリアを特定し、ＰＴＲＳを端末に送信する。
【００６２】
本開示の実施例の参照信号伝送方法において、前記位置情報をプロトコルの取り決めによって前記端末に指示し、当該位置情報に基づいてＰＴＲＳ伝送を行い、かつ異なるＰＴＲＳポートが同じサブキャリアにマッピングされることが避けられ、ＰＴＲＳポート同士の直交性が効果的に保証される。
【００６３】
図３に示すように、本開示の実施例は、端末に応用される参照信号伝送方法をさらに提供する。当該方法において、以下のステップを含む。
【００６４】
ステップＳ３０１において、基地局から暗黙的または明示的な方式で指示される目標サブキャリアの位置情報を取得する。前記目標サブキャリアは、目標ＰＴＲＳポートに対応するＤＭＲＳポートである目標ＤＭＲＳポートに占められるサブキャリアのうち、目標ＰＴＲＳポートマッピング用のサブキャリアである。
【００６５】
上記位置情報は、前記目標ＤＭＲＳポートに対応する所定参照サブキャリアと前記目標サブキャリアとのオフセット情報、各ＤＭＲＳポートに占められるサブキャリアのうちＰＴＲＳポートマッピング用のサブキャリアの位置、または、各ＤＭＲＳポートに占められるサブキャリアのうちＰＴＲＳポートマッピング用のサブキャリアと当該ＤＭＲＳポートに対応する所定参照サブキャリアとのオフセット情報を含む。ここで、目標ＰＴＲＳポートは、現在、サブキャリアマッピングが必要なＰＴＲＳポートである。
【００６６】
ステップＳ３０２において、前記位置情報に基づき、目標サブキャリアを特定する。
【００６７】
本開示の実施例の参照信号伝送方法において、基地局から暗黙的または明示的な方式で指示される目標サブキャリアの位置情報を取得し、前記位置情報に基づき、目標サブキャリアを特定する。本開示の実施例において、基地局から指示される目標サブキャリアの位置情報に基づいて目標サブキャリアを特定して伝送を行うことによって、ＰＴＲＳポート同士の直交性が効果的に保証される。
【００６８】
さらに、上記ステップＳ３０２の後に、ＰＴＲＳを前記目標サブキャリアで取得し、ＰＴＲＳに基づき、位相ノイズ推定を行うステップをさらに含む。
【００６９】
本開示の実施例において、基地局から伝送されるＰＴＲＳを目標サブキャリアで取得することによって、受信側によるリンクの位相ノイズ推定が可能であることを保証し、位相ノイズの影響を補償する。
【００７０】
さらに、上記ステップＳ３０２は、目標ＰＴＲＳポートに対応する目標ＤＭＲＳポートを特定することと、前記位置情報に基づき、前記目標ＤＭＲＳポートに占められるサブキャリアから目標サブキャリアを特定することとを含む。
【００７１】
具体的に、基地局からシグナリングによって知らせられる各ＰＴＲＳポートとＤＭＲＳポート群との対応関係を受信し、当該対応関係およびシステムの取り決めに基づき、各ＰＴＲＳポートとＤＭＲＳポート群のうちのＤＭＲＳポートとの対応関係を特定し、さらに上記位置情報に基づき、ＰＴＲＳポートに対応するＤＭＲＳポートに占められるサブキャリアから目標サブキャリアを特定する。
【００７２】
さらに、上記ステップＳ３０１において、基地局から明示的な方式で指示される目標サブキャリアの位置情報を取得することは、基地局からシグナリングによって送信される位置情報を取得することを含み、前記位置情報は、前記目標ＤＭＲＳポートに対応する所定参照サブキャリアと前記目標サブキャリアとのオフセット情報を含む。
【００７３】
さらに、上記ステップＳ３０１において、基地局から暗黙的な方式で指示される目標サブキャリアの位置情報を取得することは、前記目標サブキャリアの位置情報をプロトコルの取り決めによって取得することを含み、前記位置情報は、各ＤＭＲＳポートに占められるサブキャリアのうちＰＴＲＳポートマッピング用のサブキャリアの位置、または、各ＤＭＲＳポートに占められるサブキャリアのうちＰＴＲＳポートマッピング用のサブキャリアと当該ＤＭＲＳポートに対応する所定参照サブキャリアとのオフセット情報を含む。
【００７４】
前記ＤＭＲＳポートは、それぞれ、所定ＤＭＲＳポート群のうちのポートであり、ここで、同一の所定ＤＭＲＳポート群のうちのＤＭＲＳポートに占められるサブキャリアは、同じであり、異なる所定ＤＭＲＳポート群のうちのＤＭＲＳポートに占められるサブキャリアは、異なる。
【００７５】
以下、本開示の具体的な応用実施例を説明する。
【００７６】
実施例１
ＤＭＲＳの配置タイプが図２ｂの配置タイプであるとする。
基地局：
（１）システムにおいて、１つのＰＲＢでは、各ＤＭＲＳポートに占められる第Ｓ＝１個のサブキャリアを所定参照サブキャリアとして予め定義する。当該所定参照サブキャリアは、基地局と端末の両方に知られる。すなわち、ＤＭＲＳポート０、１、４、５について、その所定参照サブキャリアは、サブキャリア１であるが、ＤＭＲＳポート２、３、６、７について、その所定参照サブキャリアは、サブキャリア２である。
（２）基地局は、２つのＰＴＲＳポートを配置する。基地局は、ＰＴＲＳポート０について、ＤＭＲＳポート０〜３とは群対応であり、ＤＭＲＳポート０のプリコーディングを使用し、すなわちＤＭＲＳポート０とはポート対応であることを特定する。基地局は、ＰＴＲＳポート１について、ＤＭＲＳポート４〜７とは群対応であり、ＤＭＲＳポート４のプリコーディングを使用し、すなわちＤＭＲＳポート４とはポート対応であることを特定する。Ｓ＿ｏｆｆｓｅｔの値は、オフセットサブキャリアの数を示す。図２ｂにより分かるように、ＤＭＲＳポート０とＤＭＲＳポート４とは同じサブキャリアを占めるため、基地局は、ＰＴＲＳポート０のサブキャリアオフセット指示Ｓ＿ｏｆｆｓｅｔ０＝０、ＰＴＲＳポート１のサブキャリアオフセット指示Ｓ＿ｏｆｆｓｅｔ１＝２と特定する。なお、Ｓ＿ｏｆｆｓｅｔの値は、ほかの意味を表してもよい。例えば、ＤＭＲＳポートに占められる第Ｓ＿ｏｆｆｓｅｔ個のサブキャリアにオフセットすること、またはオフセットＰＲＢの数などを表してもよい。
（３）基地局は、各ＰＴＲＳポートのサブキャリアオフセットＳ＿ｏｆｆｓｅｔをシグナリングによって端末に知らせる。図４に示すように、ＰＴＲＳポート０は、所定参照サブキャリアでオフセットしないが、ＰＴＲＳポート１は、参照サブキャリアで２つのサブキャリアだけオフセットして伝送される。
【００７７】
端末：
（１）基地局からシグナリングによって知らせられるＰＴＲＳポート０とＤＭＲＳポート０〜３との群対応関係、ＰＴＲＳポート１とＤＭＲＳポート４〜７との群対応関係を受信する。
（２）端末は、群対応関係、および各ＰＴＲＳポートとＤＭＲＳポート群のうち最小ポート番号のＤＭＲＳポートとはポート対応関係を有するというシステムの取り決めに基づき、ＰＴＲＳポート０とＤＭＲＳポート０とはポート対応関係を有し、ＰＴＲＳポート１とＤＭＲＳポート４とはポート対応関係を有すると特定する。
（３）基地局からシグナリングによって知らせられる各ＰＴＲＳポートのサブキャリアオフセットＳ＿ｏｆｆｓｅｔを受信する。
（４）システムで予め定義される所定参照サブキャリアＳとＳ＿ｏｆｆｓｅｔの両方に基づき、各ポートのＰＴＲＳの位置するサブキャリアを特定する。すなわち、ＰＴＲＳポート０は、所定参照サブキャリではオフセットせず、サブキャリア１に位置するが、ＰＴＲＳポート１は、所定参照サブキャリアでは２つサブキャリアだけオフセットしてサブキャリア３に位置し、位相ノイズ推定を行う。
【００７８】
実施例２
上記位置情報は、所定ＤＭＲＳポート群の各ＤＭＲＳポートに占められるサブキャリアのうちＰＴＲＳポートマッピング用のサブキャリアと当該ＤＭＲＳポートに対応する所定参照サブキャリアとのオフセット情報とする。
【００７９】
基地局：
（１）図２ａでは、２つのサブキャリア位置に基づくＤＭＲＳポート群に分けられ、ポート０、１は、一群にあり、ポート２、３は、一群にある。図２ｂでは、２つのサブキャリア位置に基づくＤＭＲＳポート群に分けられ、ポート０、１、４、５は、一群にあり、ポート２、３、６、７は、一群にある。図２ｃでは、３つのサブキャリア位置に基づくＤＭＲＳポート群に分けられ、ポート０、１は、一群にあり、ポート２、３は、一群にあり、ポート４、５は、一群にある。図２ｄでは、３つのサブキャリア位置に基づくＤＭＲＳポート群に分けられ、ポート０、１、６、７は、一群にあり、ポート２、３、８、９は、一群にあり、ポート４、５、１０、１１は、一群にある。
（２）図２ｄを例として、ポート０、１、６、７の群では、ＰＴＲＳポートと各ＤＭＲＳポートのサブキャリアとのオフセット情報を定義し、具体的に表１に示される。
【表１】
2020533878.tif 000003
ポート２、３、８、９の群では、ＰＴＲＳポートと各ＤＭＲＳポートのサブキャリアとのオフセット情報を定義し、具体的に表２に示される。
【表２】
2020533878.tif 000004
ポート４、５、１０、１１の群では、ＰＴＲＳポートと各ＤＭＲＳポートのサブキャリアとのオフセット情報を定義し、具体的に表３に示される。
【表３】
2020533878.tif 000005
（３）以上のステップ１〜２は、システムで予め定義され、基地局と端末の両方に知られる。
（４）基地局は、２つのＰＴＲＳポートを配置する。基地局は、ＰＴＲＳポート０について、ＤＭＲＳポート０〜２とは群対応であり、ＤＭＲＳポート０のプリコーディングを使用し、すなわちＤＭＲＳポート０とはポート対応であることを特定する。基地局は、ＰＴＲＳポート１について、ＤＭＲＳポート３〜５とは群対応であり、ＤＭＲＳポート３のプリコーディングを使用し、すなわちＤＭＲＳポート３とはポート対応であることを特定する。表１によると、ＰＴＲＳポート０は、ＤＭＲＳポート０の第１個のサブキャリアにマッピングされ、すなわちサブキャリア１で伝送される。表２によると、ＰＴＲＳポート１は、ＤＭＲＳポート３が位置する第１個のサブキャリアから１つのサブキャリアだけオフセットしたサブキャリアにマッピングされ、すなわち図５に示すようにサブキャリア４で伝送される。
【００８０】
端末：
（１）基地局からシグナリングによって知らせられるＰＴＲＳポート０とＤＭＲＳポート０〜２との群対応関係、ＰＴＲＳポート１とＤＭＲＳポート３〜５との群対応関係を受信する。
（２）受信側は、群対応関係および、各ＰＴＲＳポートとＤＭＲＳポート群のうち最小ポート番号のＤＭＲＳポートとはポート対応関係を有するというシステムの取り決めに基づき、ＰＴＲＳポート０とＤＭＲＳポート０とはポート対応関係を有し、ＰＴＲＳポート１とＤＭＲＳポート３とはポート対応関係を有すると特定する。
（３）システムで予め定義される表１と表３のマッピング関係に基づき、ＰＴＲＳポート０について、ＤＭＲＳポート０が位置する第１個のサブキャリアでオフセットせず、サブキャリア１に位置するが、ＰＴＲＳポート１について、ＤＭＲＳポート３が位置する第１個のサブキャリアから１つのサブキャリアだけオフセットしてサブキャリア４に位置すると特定する。位相ノイズ推定を行う。
【００８１】
本開示の実施例の参照信号伝送方法において、目標ＤＭＲＳポートに占められるサブキャリアのうち、目標ＰＴＲＳポートマッピング用の目標サブキャリアの位置情報を、暗黙的または明示的な方式で端末に指示することによって、端末は、当該位置情報に基づいて目標サブキャリアを特定し、さらに、基地局から伝送されるＰＴＲＳを当該目標サブキャリアで取得可能である。よって、当該位置情報に基づいてＰＴＲＳ伝送を行う目的が実現され、かつ異なるＰＴＲＳポートが同じサブキャリアにマッピングされることが避けられ、ＰＴＲＳポート同士の直交性が効果的に保証される。
【００８２】
図６に示すように、本開示の実施例は、メモリ６２０と、プロセッサ６００と、トランシーバ６１０と、バスインタフェースと、メモリ６２０に記憶されてプロセッサ６００で実行可能なコンピュータプログラムを含む基地局をさらに提供する。前記プロセッサ６００は、メモリ６２０からプログラムを読み取ることによって、当該プログラムを実行する。ここで、前記プロセッサは、前記コンピュータプログラムを実行すると、目標ＰＴＲＳポートに対応するＤＭＲＳポートである目標ＤＭＲＳポートに占められるサブキャリアのうち、目標ＰＴＲＳポートマッピング用の目標サブキャリアの位置情報を、暗黙的または明示的な方式で端末に指示するステップを実現する。
【００８３】
ここで、図６において、バスアーキテクチャは、任意数の相互接続するバスとブリッジを含み、具体的に、プロセッサ６００をはじめとする１つ又は複数のプロセッサとメモリ６２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ６１０は、複数の部品であってもよく、即ち送信機と受信機を含み、伝送媒体でほかの各種類の装置と通信するユニットとして提供される。プロセッサ６００は、バスアーキテクチャと通常の処理を管理する。メモリ６２０は、プロセッサ６００による操作実行に使用されるデータを記憶できる。
【００８４】
前記プロセッサ６００は、前記コンピュータプログラムを実行すると、目標ＰＴＲＳポートに対応するＤＭＲＳポートである目標ＤＭＲＳポートに占められるサブキャリアのうち、目標ＰＴＲＳポートマッピング用の目標サブキャリアの位置情報を、暗黙的または明示的な方式で端末に指示するステップをさらに実現する。
【００８５】
前記プロセッサ６００は、前記コンピュータプログラムを実行すると、ＰＴＲＳを前記目標サブキャリアでトランシーバによって前記端末に伝送するステップをさらに実現する。
【００８６】
前記プロセッサ６００は、前記コンピュータプログラムを実行すると、前記目標ＤＭＲＳポートに対応する所定参照サブキャリアと前記目標サブキャリアとのオフセット情報を含む前記位置情報を、シグナリングによってトランシーバで前記端末に送信するステップをさらに実現する。
【００８７】
前記プロセッサ６００は、前記コンピュータプログラムを実行すると、目標ＤＭＲＳポートに占められるサブキャリアから、ＰＴＲＳポートマッピング用の目標サブキャリアを選択するステップと、前記目標サブキャリアと前記所定参照サブキャリアとのオフセット情報を特定するステップとをさらに実現する。
【００８８】
前記プロセッサ６００は、前記コンピュータプログラムを実行すると、各ＤＭＲＳポートに占められるサブキャリアのうちＰＴＲＳポートマッピング用のサブキャリアの位置、または、各ＤＭＲＳポートに占められるサブキャリアのうちＰＴＲＳポートマッピング用のサブキャリアと当該ＤＭＲＳポートに対応する所定参照サブキャリアとのオフセット情報を含む前記位置情報を、プロトコルの取り決めによって前記端末に指示するステップをさらに実現する。
【００８９】
ここで、前記ＤＭＲＳポートは、それぞれ、所定ＤＭＲＳポート群のうちのポートであり、ここで、同一の所定ＤＭＲＳポート群のうちのＤＭＲＳポートに占められるサブキャリアは、同じであり、異なる所定ＤＭＲＳポート群のうちのＤＭＲＳポートに占められるサブキャリアは、異なる。
【００９０】
本開示の一部実施例において、コンピュータプログラムが記憶されているコンピュータ読み取り可能な記憶媒体をさらに提供する。当該コンピュータプログラムがプロセッサによって実現されると、目標ＰＴＲＳポートに対応するＤＭＲＳポートである目標ＤＭＲＳポートに占められるサブキャリアのうち、目標ＰＴＲＳポートマッピング用の目標サブキャリアの位置情報を、暗黙的または明示的な方式で端末に指示するステップが実現される。
【００９１】
当該プログラムがプロセッサによって実行されると、上記の基地局側に応用される方法実施例のすべての実現方式を実現可能であるため、重複を避けるためにここでは繰り返して記載しない。
【００９２】
図７に示すように、本開示の実施例は、基地局に応用される参照信号伝送装置をさらに提供する。当該装置は、目標ＰＴＲＳポートに対応するＤＭＲＳポートである目標ＤＭＲＳポートに占められるサブキャリアのうち、目標ＰＴＲＳポートマッピング用の目標サブキャリアの位置情報を、暗黙的または明示的な方式で端末に指示するための指示モジュール７０１を含む。
【００９３】
本開示の実施例の参照信号伝送装置は、図８に示すように、ＰＴＲＳを前記目標サブキャリアで前記端末に伝送するための伝送モジュール７０２をさらに含む。
【００９４】
本開示の実施例の参照信号伝送装置において、前記指示モジュール７０１は、前記目標ＤＭＲＳポートに対応する所定参照サブキャリアと前記目標サブキャリアとのオフセット情報を含む前記位置情報を、シグナリングによって前記端末に送信するための第１指示サブモジュール７０１１を含む。
【００９５】
本開示の実施例の参照信号伝送装置は、目標ＤＭＲＳポートに占められるサブキャリアから、ＰＴＲＳポートマッピング用の目標サブキャリアを選択するための選択モジュール７０３と、前記目標サブキャリアと前記所定参照サブキャリアとのオフセット情報を特定するための処理モジュール７０４とをさらに含む。
【００９６】
本開示の実施例の参照信号伝送装置において、前記指示モジュール７０１は、各ＤＭＲＳポートに占められるサブキャリアのうちＰＴＲＳポートマッピング用のサブキャリアの位置、または、各ＤＭＲＳポートに占められるサブキャリアのうちＰＴＲＳポートマッピング用のサブキャリアと当該ＤＭＲＳポートに対応する所定参照サブキャリアとのオフセット情報を含む前記位置情報を、プロトコルの取り決めによって前記端末に指示するための第２指示サブモジュール７０１２を含む。
【００９７】
本開示の実施例の参照信号伝送装置において、前記ＤＭＲＳポートは、それぞれ、所定ＤＭＲＳポート群のうちのポートであり、ここで、同一の所定ＤＭＲＳポート群のうちのＤＭＲＳポートに占められるサブキャリアは、同じであり、異なる所定ＤＭＲＳポート群のうちのＤＭＲＳポートに占められるサブキャリアは、異なる。
【００９８】
本開示の実施例の参照信号伝送装置は、目標ＤＭＲＳポートに占められるサブキャリアのうち、目標ＰＴＲＳポートマッピング用の目標サブキャリアの位置情報を、暗黙的または明示的な方式で端末に指示することによって、端末は、当該位置情報に基づいて目標サブキャリアを特定し、さらに、基地局から伝送されるＰＴＲＳを当該目標サブキャリアで取得可能である。よって、当該位置情報に基づいてＰＴＲＳ伝送を行う目的が実現され、かつ異なるＰＴＲＳポートが同じサブキャリアにマッピングされることが避けられ、ＰＴＲＳポート同士の直交性が効果的に保証される。
【００９９】
なお、当該装置は、上記の基地局側に応用される方法実施例に対応する装置であり、上記方法実施例のすべての実現方式が当該装置の実施例に応用可能であり、同一の技術効果を奏することもできる。
【０１００】
本開示の一部実施例において、図９に示すように、メモリ９２０と、プロセッサ９００と、トランシーバ９１０と、ユーザインタフェース９３０と、バスインタフェースと、メモリ９２０に記憶されてプロセッサ９００で実行可能なコンピュータプログラムを含む端末をさらに提供する。前記プロセッサ９００は、メモリ９２０からプログラムを読み取ることによって、基地局から暗黙的または明示的な方式で指示される目標サブキャリアの位置情報を取得するプロセスと、前記位置情報に基づき、目標サブキャリアを特定するプロセスとを実行する。前記目標サブキャリアは、目標ＰＴＲＳポートに対応するＤＭＲＳポートである目標ＤＭＲＳポートに占められるサブキャリアのうち、目標ＰＴＲＳポートマッピング用のサブキャリアである。
【０１０１】
ここで、図９において、バスアーキテクチャは、任意数の相互接続するバスとブリッジを含み、具体的に、プロセッサ９００をはじめとする１つ又は複数のプロセッサとメモリ９２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ９１０は、複数の部品であってもよく、即ち送信機と受信機を含み、伝送媒体でほかの各種類の装置と通信するユニットとして提供される。ユーザ端末によっては、ユーザインタフェース９３０は、内部接続や外部接続する機器のインタフェースであってもよい。接続する機器は、キーパッド、ディスプレイ、スピーカ、マイクロフォン、ジョイスティックなどを含むが、それらに限られない。
【０１０２】
プロセッサ９００は、バスアーキテクチャと通常の処理を管理する。メモリ９２０は、プロセッサ９００による操作実行に使用されるデータを記憶できる。
【０１０３】
プロセッサ９００は、メモリ９２０からプログラムを読み取ることによって、ＰＴＲＳを前記目標サブキャリアで取得し、ＰＴＲＳに基づき、位相ノイズ推定を行うステップをさらに実行する。
【０１０４】
プロセッサ９００は、メモリ９２０からプログラムを読み取ることによって、目標ＰＴＲＳポートに対応する目標ＤＭＲＳポートを特定するステップと、前記位置情報に基づき、前記目標ＤＭＲＳポートに占められるサブキャリアから目標サブキャリアを特定するステップとをさらに実行する。
【０１０５】
プロセッサ９００は、メモリ９２０からプログラムを読み取ることによって、基地局からシグナリングによって送信される位置情報をトランシーバで取得するステップをさらに実行し、前記位置情報は、前記目標ＤＭＲＳポートに対応する所定参照サブキャリアと前記目標サブキャリアとのオフセット情報を含む。
【０１０６】
プロセッサ９００は、メモリ９２０からプログラムを読み取ることによって、前記目標サブキャリアの位置情報をプロトコルの取り決めによって取得するステップをさらに実行する。前記位置情報は、各ＤＭＲＳポートに占められるサブキャリアのうちＰＴＲＳポートマッピング用のサブキャリアの位置、または、各ＤＭＲＳポートに占められるサブキャリアのうちＰＴＲＳポートマッピング用のサブキャリアと当該ＤＭＲＳポートに対応する所定参照サブキャリアとのオフセット情報を含む。
【０１０７】
ここで、前記ＤＭＲＳポートは、それぞれ、所定ＤＭＲＳポート群のうちのポートであり、ここで、同一の所定ＤＭＲＳポート群のうちのＤＭＲＳポートに占められるサブキャリアは、同じであり、異なる所定ＤＭＲＳポート群のうちのＤＭＲＳポートに占められるサブキャリアは、異なる。
【０１０８】
本開示の一部実施例において、コンピュータプログラムが記憶されているコンピュータ読み取り可能な記憶媒体をさらに提供する。当該コンピュータプログラムがプロセッサによって実現されると、基地局から暗黙的または明示的な方式で指示される目標サブキャリアの位置情報を取得するステップと、前記位置情報に基づき、目標サブキャリアを特定するステップとが実現され、前記目標サブキャリアは、目標ＰＴＲＳポートに対応するＤＭＲＳポートである目標ＤＭＲＳポートに占められるサブキャリアのうち、目標ＰＴＲＳポートマッピング用のサブキャリアである。
【０１０９】
当該プログラムがプロセッサによって実行されると、上記の端末側に応用される方法実施例のすべての実現方式を実現可能であるため、重複を避けるためにここでは繰り返して記載しない。
【０１１０】
図１０に示すように、本開示の実施例は、端末に応用される参照信号伝送装置をさらに提供する。当該装置は、基地局から暗黙的または明示的な方式で指示される目標サブキャリアの位置情報を取得するための取得モジュール１００１と、前記位置情報に基づき、目標サブキャリアを特定するための特定モジュール１００２とを含み、前記目標サブキャリアは、目標ＰＴＲＳポートに対応するＤＭＲＳポートである目標ＤＭＲＳポートに占められるサブキャリアのうち、目標ＰＴＲＳポートマッピング用のサブキャリアである。
【０１１１】
本開示の実施例の参照信号伝送装置は、図１１に示すように、ＰＴＲＳを前記目標サブキャリアで取得し、ＰＴＲＳに基づき、位相ノイズ推定を行うための推定モジュール１００３をさらに含む。
【０１１２】
本開示の実施例の参照信号伝送装置において、前記特定モジュール１００２は、目標ＰＴＲＳポートに対応する目標ＤＭＲＳポートを特定するための第１特定サブモジュール１００２１と、前記位置情報に基づき、前記目標ＤＭＲＳポートに占められるサブキャリアから目標サブキャリアを特定するための第２特定サブモジュール１００２２を含む。
【０１１３】
本開示の実施例の参照信号伝送装置において、前記取得モジュール１００１は、基地局からシグナリングによって送信される位置情報を取得するための第１取得サブモジュール１００１１を含む。前記位置情報は、前記目標ＤＭＲＳポートに対応する所定参照サブキャリアと前記目標サブキャリアとのオフセット情報を含む。
【０１１４】
本開示の実施例の参照信号伝送装置において、前記取得モジュール１００１は、前記目標サブキャリアの位置情報をプロトコルの取り決めによって取得するための第２取得サブモジュール１００１２を含む。前記位置情報は、各ＤＭＲＳポートに占められるサブキャリアのうちＰＴＲＳポートマッピング用のサブキャリアの位置、または、各ＤＭＲＳポートに占められるサブキャリアのうちＰＴＲＳポートマッピング用のサブキャリアと当該ＤＭＲＳポートに対応する所定参照サブキャリアとのオフセット情報を含む。
【０１１５】
本開示の実施例の参照信号伝送装置において、前記ＤＭＲＳポートは、それぞれ、所定ＤＭＲＳポート群のうちのポートであり、ここで、同一の所定ＤＭＲＳポート群のうちのＤＭＲＳポートに占められるサブキャリアは、同じであり、異なる所定ＤＭＲＳポート群のうちのＤＭＲＳポートに占められるサブキャリアは、異なる。
【０１１６】
なお、当該装置は、上記の端末側に応用される方法実施例に対応する装置であり、上記方法実施例のすべての実現方式が当該装置の実施例に応用可能であり、同一の技術効果を奏することもできる。
【０１１７】
本開示の各実施例において、上記各プロセスの番号の大きさは、実行順の前後を意味するのではなく、各プロセスの実行順は、その機能および内在的な論理によって確定されるものであり、本開示の実施例の実施プロセスに対しいっさい限定を構成しないと理解すべきである。
【０１１８】
以上の記載は、本開示の選択可能な実施形態である。当業者は、本開示に記載されている原理を逸脱せずに様々な改良や修飾をすることもできる。これらの改良や修飾も、本開示の保護範囲として見なされるべきである。
【図１】
2020533878.tif 000006
【図２ａ】
2020533878.tif 000007
【図２ｂ】
2020533878.tif 000008
【図２ｃ】
2020533878.tif 000009
【図２ｄ】
2020533878.tif 000010
【図３】
2020533878.tif 000011
【図４】
2020533878.tif 000012
【図５】
2020533878.tif 000013
【図６】
2020533878.tif 000014
【図７】
2020533878.tif 000015
【図８】
2020533878.tif 000016
【図９】
2020533878.tif 000017
【図１０】
2020533878.tif 000018
【図１１】
2020533878.tif 000019
【手続補正書】
【提出日】令和2年3月10日(2020.3.10)
【手続補正１】
【補正対象書類名】特許請求の範囲
【補正対象項目名】全文
【補正方法】変更
【補正の内容】
【特許請求の範囲】
【請求項１】
基地局に応用される参照信号伝送方法において、
目標ＰＴＲＳ（Ｐｈａｓｅ  Ｔｒａｃｋｉｎｇ  Ｒｅｆｅｒｅｎｃｅ  Ｓｉｇｎａｌ）ポートに対応するＤＭＲＳ（Ｄｅｍｏｄｕｌａｔｉｏｎ  Ｒｅｆｅｒｅｎｃｅ  Ｓｉｇｎａｌ）ポートである目標ＤＭＲＳポートに占められるサブキャリアのうち、目標ＰＴＲＳポートマッピング用の目標サブキャリアの位置情報を、暗黙的または明示的な方式で端末に指示するステップを含む、参照信号伝送方法。
【請求項２】
ＰＴＲＳを前記目標サブキャリアで前記端末に伝送するステップをさらに含む、請求項１に記載の参照信号伝送方法。
【請求項３】
目標ＤＭＲＳポートに占められるサブキャリアのうち、目標ＰＴＲＳポートマッピング用の目標サブキャリアの位置情報を、明示的な方式で端末に指示するステップは、
前記目標ＤＭＲＳポートに対応する所定参照サブキャリアと前記目標サブキャリアとのオフセット情報を含む前記位置情報を、シグナリングによって前記端末に送信することを含む、請求項１に記載の参照信号伝送方法。
【請求項４】
目標ＤＭＲＳポートに占められるサブキャリアのうち、目標ＰＴＲＳポートマッピング用の目標サブキャリアの位置情報を端末に指示するステップの前に、
目標ＤＭＲＳポートに占められるサブキャリアから、ＰＴＲＳポートマッピング用の目標サブキャリアを選択することと、
前記目標サブキャリアと前記所定参照サブキャリアとのオフセット情報を特定することとをさらに含む、請求項３に記載の参照信号伝送方法。
【請求項５】
目標ＤＭＲＳポートに占められるサブキャリアのうち、目標ＰＴＲＳポートマッピング用の目標サブキャリアの位置情報を、暗黙的な方式で端末に指示するステップは、
各ＤＭＲＳポートに占められるサブキャリアのうちＰＴＲＳポートマッピング用のサブキャリアの位置、または、各ＤＭＲＳポートに占められるサブキャリアのうちＰＴＲＳポートマッピング用のサブキャリアと当該ＤＭＲＳポートに対応する所定参照サブキャリアとのオフセット情報を含む前記位置情報を、プロトコルの取り決めによって前記端末に指示することを含む、請求項１に記載の参照信号伝送方法。
【請求項６】
前記ＤＭＲＳポートは、それぞれ、所定ＤＭＲＳポート群のうちのポートであり、
ここで、同一の所定ＤＭＲＳポート群のうちのＤＭＲＳポートに占められるサブキャリアは、同じであり、異なる所定ＤＭＲＳポート群のうちのＤＭＲＳポートに占められるサブキャリアは、異なる、請求項５に記載の参照信号伝送方法。
【請求項７】
端末に応用される参照信号伝送方法において、
基地局から暗黙的または明示的な方式で指示される目標サブキャリアの位置情報を取得するステップと、
前記位置情報に基づき、目標サブキャリアを特定するステップとを含み、
前記目標サブキャリアは、目標ＰＴＲＳポートに対応するＤＭＲＳポートである目標ＤＭＲＳポートに占められるサブキャリアのうち、目標ＰＴＲＳポートマッピング用のサブキャリアである、参照信号伝送方法。
【請求項８】
ＰＴＲＳを前記目標サブキャリアで取得し、ＰＴＲＳに基づき、位相ノイズ推定を行うステップをさらに含む、請求項７に記載の参照信号伝送方法。
【請求項９】
前記の前記位置情報に基づき、目標サブキャリアを特定するステップは、
目標ＰＴＲＳポートに対応する目標ＤＭＲＳポートを特定するステップと、
前記位置情報に基づき、前記目標ＤＭＲＳポートに占められるサブキャリアから目標サブキャリアを特定するステップとを含む、請求項７に記載の参照信号伝送方法。
【請求項１０】
基地局から明示的な方式で指示される目標サブキャリアの位置情報を取得するステップは、
基地局からシグナリングによって送信される位置情報を取得することを含み、
前記位置情報は、前記目標ＤＭＲＳポートに対応する所定参照サブキャリアと前記目標サブキャリアとのオフセット情報を含む、請求項７に記載の参照信号伝送方法。
【請求項１１】
基地局から暗黙的な方式で指示される目標サブキャリアの位置情報を取得するステップは、
前記目標サブキャリアの位置情報をプロトコルの取り決めによって取得することを含み、
前記位置情報は、各ＤＭＲＳポートに占められるサブキャリアのうちＰＴＲＳポートマッピング用のサブキャリアの位置、または、各ＤＭＲＳポートに占められるサブキャリアのうちＰＴＲＳポートマッピング用のサブキャリアと当該ＤＭＲＳポートに対応する所定参照サブキャリアとのオフセット情報を含む、請求項７に記載の参照信号伝送方法。
【請求項１２】
前記ＤＭＲＳポートは、それぞれ、所定ＤＭＲＳポート群のうちのポートであり、
ここで、同一の所定ＤＭＲＳポート群のうちのＤＭＲＳポートに占められるサブキャリアは、同じであり、異なる所定ＤＭＲＳポート群のうちのＤＭＲＳポートに占められるサブキャリアは、異なる、請求項７に記載の参照信号伝送方法。
【請求項１３】
基地局に応用される参照信号伝送装置において、
目標ＰＴＲＳポートに対応するＤＭＲＳポートである目標ＤＭＲＳポートに占められるサブキャリアのうち、目標ＰＴＲＳポートマッピング用の目標サブキャリアの位置情報を、暗黙的または明示的な方式で端末に指示するための指示モジュールを含む、参照信号伝送装置。
【請求項１４】
端末に応用される参照信号伝送装置において、
基地局から暗黙的または明示的な方式で指示される目標サブキャリアの位置情報を取得するための取得モジュールと、
前記位置情報に基づき、目標サブキャリアを特定するための特定モジュールとを含み、
前記目標サブキャリアは、目標ＰＴＲＳポートに対応するＤＭＲＳポートである目標ＤＭＲＳポートに占められるサブキャリアのうち、目標ＰＴＲＳポートマッピング用のサブキャリアである、参照信号伝送装置。
【請求項１５】
前記取得モジュールは、
基地局からシグナリングによって送信される位置情報を取得するための第１取得サブモジュールを含み、
前記位置情報は、前記目標ＤＭＲＳポートに対応する所定参照サブキャリアと前記目標サブキャリアとのオフセット情報を含み、
又は
前記取得モジュールは、
前記目標サブキャリアの位置情報をプロトコルの取り決めによって取得するための第２取得サブモジュールを含み、
前記位置情報は、各ＤＭＲＳポートに占められるサブキャリアのうちＰＴＲＳポートマッピング用のサブキャリアの位置、または、各ＤＭＲＳポートに占められるサブキャリアのうちＰＴＲＳポートマッピング用のサブキャリアと当該ＤＭＲＳポートに対応する所定参照サブキャリアとのオフセット情報を含み、
又は
前記ＤＭＲＳポートは、それぞれ、所定ＤＭＲＳポート群のうちのポートであり、
ここで、同一の所定ＤＭＲＳポート群のうちのＤＭＲＳポートに占められるサブキャリアは、同じであり、異なる所定ＤＭＲＳポート群のうちのＤＭＲＳポートに占められるサブキャリアは、異なる、請求項１４に記載の参照信号伝送装置。
【国際調査報告】
2020533878.tif 000020
2020533878.tif 000021
2020533878.tif 000022
2020533878.tif 000023